(57)【特許請求の範囲】
【請求項１】
発光色の異なる複数の光源を1フレーム投影時間内において時分割で点灯させるとともに、これら各光源の時分割点灯毎に、所定数の階調で画像を投影するプロジェクタであって、
前記複数の光源のうち１つの発光色の光源の時分割点灯中において、他の発光色の光源を所定の一定間隔でパルス点灯させる制御手段を備えたことを特徴とするプロジェクタ。
【請求項２】
前記発光色の異なる複数の光源は、赤色、緑色、青色を各々発光するＬＥＤからなることを特徴とする請求項１記載のプロジェクタ。
【請求項３】
前記制御手段は、
前記他の発光色の光源を前記所定の一定間隔でパルス点灯させるパルスパターンを作成する作成手段と、
この作成手段により作成された前記パルスパターンに従って、前記他の発光色の光源を駆動する駆動手段と
を備えることを特徴とする請求項１又は２記載のプロジェクタ。
【請求項４】
前記パルスパターンを少なくとも１種記憶した記憶手段を備え、
前記作成手段は、前記記憶手段に記憶されているパルスパターンに基づいて、他のパルスパターンを作成することを特徴とする請求項３記載のプロジェクタ。
【請求項５】
複数のモードを選択的に設定するモード設定手段を備え、
前記作成手段は、前記モード設定手段により設定されたモードに応じて、異なるパルスパターンを作成することを特徴とする請求項３又は４記載のプロジェクタ。
【請求項６】
画像データを入力させる入力手段と、
この入力手段から入力された画像データの規格を検出する規格検出手段とを備え、
前記作成手段は、前記規格検出手段により検出された前記画像データの規格に応じて、異なるパルスパターンを作成することを特徴とする請求項３又は４記載のプロジェクタ。
【請求項７】
画像データを入力させる入力手段と、
この入力手段から入力された画像データにおける所定の画像構成要素を検出する構成要素検出手段とを備え、
前記作成手段は、前記構成要素検出手段により検出された前記画像構成要素に応じて、異なるパルスパターンを作成することを特徴とする請求項３又は４記載のプロジェクタ。
【請求項８】
前記画像構成要素は、前記画像データにより形成される色三角形のＲ、Ｇ、Ｂ各頂点の値であることを特徴とする請求項７記載のプロジェクタ。
【請求項９】
前記制御手段は、1フレーム投影時間内に、前記発光色の異なる複数の光源を時分割で点灯させる時分割点灯時間と、いずれの光源も時分割点灯させない時分割消灯時間とを形成し、
前記時分割消灯時間において、全ての光源を前記階調毎にパルス点灯させる手段を備えたことを特徴とする請求項１から８にいずれか記載のプロジェクタ。
【請求項１０】
前記制御手段は、前記所定数の階調毎に前記他の発光色の光源を一定間隔でパルス点灯させることを特徴とする請求項１から９にいずれか記載のプロジェクタ。
【請求項１１】
前記所定数の階調は、２５６階調であることを特徴とする請求項１０記載のプロジェクタ。
【請求項１２】
発光色の異なる複数の光源を1フレーム投影時間内において時分割で点灯させるとともに、これら各光源の時分割点灯毎に、所定数の階調で画像を投影するプロジェクタが有するコンピュータを、
前記複数の光源のうち１つの発光色の光源の時分割点灯中において、他の発光色の光源を所定の一定間隔でパルス点灯させる制御部として機能させることを特徴とするプロジェクタ制御プログラム。
【請求項１３】
発光色の異なる複数の光源を1フレーム投影時間内において時分割で点灯させるとともに、これら各光源の時分割点灯毎に、所定数の階調で画像を投影するプロジェクタにおける光源制御方法であって、
前記複数の光源のうち１つの発光色の光源の時分割点灯中において、他の発光色の光源を所定の一定間隔でパルス点灯させることを特徴とする光源制御方法。
【発明の詳細な説明】
【技術分野】
【０００１】
本発明は、発光色の異なる複数の光源を用いて投影を行うプロジェクタ、該プロジェクタの制御プログラム及び光源制御方法に関するものである。
【背景技術】
【０００２】
従来、装置の小型化や携帯化等を図るべく、ハロゲンランプに代えてＲＧＢ各色を発光する３個のＬＥＤを光源として用いるプロジェクタが提案されるに至っている。しかし、このように、ＲＧＢ各色を発光する３個のＬＥＤを光源として用いると、各色のＬＥＤが順次点灯され、瞬間的には常にＲＧＢのいずれか一色のＬＥＤが点灯しているに過ぎないこと、及びＬＥＤの輝度はハロゲンランプよりも遙かに劣ることに起因して、投影画像を高輝度化することができない。
【０００３】
そこで、ある色のＬＥＤを点灯させるタイミングにおいては、他の色のＬＥＤを低出力で駆動して点灯させることにより、例えばＲ色のＬＥＤを点灯させるタイミングおいては、Ｇ色とＢ色のＬＥＤを低出力で点灯させることにより、投影画像に輝度を確保できるようにしたプロジェクタも提案されるに至っている（例えば、特許文献１参照）。
【特許文献１】特開２００４−３１７５５８号公報
【発明の開示】
【発明が解決しようとする課題】
【０００４】
しかしながら、ＬＥＤにあってはこれを定格よりも低い電流値で駆動すると、駆動電流値に応じて発光色が変化して当該ＬＥＤ本来の発光色とは異なる色に発光する特性を有する。したがって、前述のように例えばＲ色のＬＥＤを点灯させるタイミングおいて、Ｇ色とＢ色のＬＥＤを低出力で点灯させると、全体としてＲ色にＧ色とＢ色とが加わった発光色となるのではなく、Ｒ色に、Ｇ色が変化したＧ変化色と、Ｂ色が変化したＢ変化色とが加わった予期しない発光色となる。
【０００５】
このため、投影画像に高輝度を確保できるというメリットが得られる反面、投影画像の色度調整が困難となるというデメリットが生じてしまう。
【０００６】
本発明は、かかる従来の課題に鑑みてなされたものであり、ＬＥＤを光源とした場合であっても、投影画像の輝度確保と色度調整とを共に達成することのできるプロジェクタ、該プロジェクタの制御プログラム及び光源制御方法を提供することを目的とする。
【課題を解決するための手段】
【０００７】
前記課題を解決するために請求項１記載の発明は、発光色の異なる複数の光源を1フレーム投影時間内において時分割で点灯させるとともに、これら各光源の時分割点灯毎に、所定数の階調で画像を投影するプロジェクタであって、前記複数の光源のうち１つの発光色の光源の時分割点灯中において、他の発光色の光源を所定の一定間隔でパルス点灯させる制御手段を備えたことを特徴とする。
【発明の効果】
【００２０】
本発明によれば、ＬＥＤを光源とした場合であっても、投影画像に輝度を確保することが可能となるとともに、投影画像の色度を調整することも可能となる。
【発明を実施するための最良の形態】
【００２１】
以下、本発明の一実施の形態を図にしたがって説明する。
（第１の実施形態）
図１は、本発明の各実施の形態に共通するプロジェクタ１の電気的構成を示すブロック図である。このプロジェクタ１は、制御部１１、入出力インターフェイス１２、画像変換部１３、表示エンコーダ１４、表示駆動部１５等を有するものであって、入出力コネクタ部１６から入力された各種規格の画像信号（画像データ）は、入出力インターフェイス１２、システムバス１７を介して、画像変換部１３で表示に適した所定フォーマットの画像信号に統一するように変換された後、表示エンコーダ１４に送られる。
【００２２】
表示エンコーダ１４は、送られてきた画像信号をビデオＲＡＭ１８に展開記憶させた上で、このビデオＲＡＭ１８の記憶内容からビデオ信号を生成して表示駆動部１５に出力するものである。
【００２３】
表示エンコーダ１４からビデオ信号が入力される表示駆動部１５は、送られてきたビデオ信号に対応して適宜フレームレートで２５６階調毎に表示素子としてのＤＭＤ１９（デジタル・マイクロミラー・デバイス）を駆動する。そして、光源装置２０から射出された光線束を、光源側光学系を介してＤＭＤ１９に入射することにより、ＤＭＤ１９の反射光で光像を形成し、投影側光学系とする可動レンズ群２１を介して図示しないスクリーンに画像を投影表示する。この投影側光学系の可動レンズ群２１は、レンズモータ２２によりズーム調整やフォーカス調整のための駆動が行われる。
【００２４】
画像圧縮／伸張部２３は、画像信号における輝度信号及び色差信号をＡＤＴＣ及びハフマン符号化等の処理により、データ圧縮して着脱自在な記録媒体であるメモリカード２４に書き込む記録処理や、メモリカード２４に記録された画像データを読み出し。一連の動画を構成する個々の画像データを１フレーム単位で伸張して画像変換部１３を介して表示エンコーダ１４に送り、メモリカード２４に記憶された画像データに基づいて動画等の表示を可能にするものである。
【００２５】
制御部１１は、プロジェクタ１内における各回路の動作を制御するものであって、ＣＰＵ及びその周辺回路、ＲＯＭ１１１、ＲＡＭ１１２等で構成されている。ＲＯＭ１１１には、各種セッティング等のプログラム、後述するフローチャートにより示すプログラムやデータ等が予め記憶されており、ＲＡＭ１１２は、ワークメモリ等として使用される。
【００２６】
キー／インジケータ部２５は、本体ケース等に設けられているメインキー及びインジケータ等により構成され、その操作信号は制御部１１に送出される。また、リモートコントローラからのキー操作信号は、Ｉｒ受信部２６で受信され、Ｉｒ処理部２７で復調されてコード信号が制御部１１に送られる。
【００２７】
前記光源装置２０は、Ｒ（赤）色を発光する赤色ＬＥＤ２０Ｒ、Ｇ（緑）色を発光する緑色ＬＥＤ２０Ｇ、及びＢ（青）色を発光する青色ＬＥＤ２０Ｂで構成されている。制御部１１は、光源制御回路３２を制御することにより、画像信号に応じて各ＬＥＤ２０Ｒ、２０Ｇ、２０Ｂを時分割制御するとともに、後述するようにパルス制御する。
【００２８】
前記ＲＯＭ１１１には、前記プログラム等とともに図２に示す１フレーム分のパルス点灯幅初期値パターンＰＰが記憶されている。このパルス点灯幅初期値パターンＰＰは、１フレーム分における各ＬＥＤ２０Ｒ、２０Ｇ、２０Ｂの時分割点灯に対応して、時分割点灯する以外の他のＬＥＤが一定の間隔でパルス点灯する点灯タイミング及びそのパルス幅が記憶されている。また、時分割点灯する以外の他のＬＥＤの点灯タイミングは、高頻度であるほどＤＭＤ１９によって像を顕在化したときの色度を適切にすることができるが、本実施例においては、０〜２５５階調の動作に対応するタイミングであるものとする。
【００２９】
すなわち、上述の他のＬＥＤを後述するように所定の光量分パルス点灯させる際に、パルス幅を短くして出来るだけ高頻度で点灯させたほうが、その点灯期間における色度バランスを適切にすることができるが、本実施例における表示素子であるＤＭＤ１９は、上述のように０〜２５５階調に基づいて上記光源装置２０から射出される光を反射して像を作るため、少なくともこの０〜２５５の各階調のタイミングでＤＭＤ１９に入射する光を上述のように他のＬＥＤをパルス点灯させて調整することで適切な色度バランスを得ることができる。
【００３０】
つまり、１フレーム内において、赤色ＬＥＤが時分割点灯する間においては緑色ＬＥＤと青色ＬＥＤとを各々２５６階調タイミングで駆動するパルス幅が記憶されており、緑色ＬＥＤが時分割点灯する間においては赤色ＬＥＤと青色ＬＥＤとを各々２５６階調タイミングで駆動するパルス幅が記憶されており、青色ＬＥＤが時分割点灯する間においては赤色ＬＥＤと緑色ＬＥＤとを各々２５６階調タイミングで駆動するパルス幅が記憶されている。
【００３１】
なお、このパルス点灯幅初期値パターンＰＰは、ある程度の輝度を上げることができ、かつ、色度には殆ど影響を及ぼさない程度のパルス幅からなる。
【００３２】
以上の構成に係る本実施の形態において、プロジェクタ１の制御部１１は、ＲＯＭ１１１に記憶されたプログラムに基づき、図３に示すフローチャートに従って処理を実行する。すなわち、ＲＯＭ１１１から前記パルス点灯幅初期値パターンＰＰを読み出して、ＲＡＭ１１２の所定領域にセットする（ステップＳＡ１）。次に、表示モードの設定があるか否かを判断する（ステップＳＡ２）。
【００３３】
ここで、表示モードとは、前記パルス点灯幅初期値パターンＰＰを用いて光源装置２０を駆動する通常モード以外の表示モードであって、例えば投影画像の輝度を強調する輝度強調モード、輝度は無視して画像本来の色の忠実な再生を重視する忠実再生モード、投影画像の赤、緑、青を強調したり、投影画像を全体的に赤、緑、青味がかった色にする赤色強調モード、緑色強調モード、青色強調モード等が挙げられる。
【００３４】
そして、ステップＳＡ２での判断の結果、通常モードのままで表示モードが設定されなかった場合には、ステップＳＡ２〜ＳＡ４の処理を実行することなく、ステップＳＡ５に進み、予め設定されている前記パルス点灯幅初期値パターンＰＰで光源装置２０を駆動しつつ画像を投影する。したがって、この場合には、ＲＡＭ１１２には前記パルス点灯幅初期値パターンＰＰがセットされたままの状態となる。
【００３５】
しかし、ステップＳＡ２での判断の結果、いずれかの表示モードが設定された場合には、この設定されたモードに応じてパルス点灯幅パターンを作成する（ステップＳＡ３）。
【００３６】
パルス点灯幅パターンの作成は、図４に示すサブルーチンに従って実行される。すなわち、赤色ＬＥＤの時分割点灯におけるＧ、Ｂ点灯幅バルス決定し、この決定したパルス幅からなるパルスを０〜２５５階調に対応して配列することより、赤色ＬＥＤの時分割点灯における緑色ＬＥＤと青色ＬＥＤの点灯幅パルスパターンを作成する（ステップＳ１）。したがって、このステップＳ１での処理により、図２における（１）部分に対応するパルス点灯幅パターンが作成される。
【００３７】
引き続き、同様にして緑色ＬＥＤの時分割点灯における赤色ＬＥＤと青色ＬＥＤの点灯幅パルスパターンを作成し（ステップＳ２）、青色ＬＥＤの時分割点灯における赤色ＬＥＤと緑色ＬＥＤの点灯幅パルスパターンを作成する（ステップＳ３）。したがって、このステップＳ２及びステップＳ３での処理により、図２における（２）部分と（３）部分とに対応するパルス点灯幅パターンが作成される。
【００３８】
そして、これらステップＳ１〜Ｓ３で作成したパルス点灯幅パターンを連結することにより（ステップＳ４）、図２における（１）（２）（３）部分からなるパルス点灯幅パターンが完成することとなる。
【００３９】
なお、このようにパルス点灯幅パターンは、点灯幅初期値パターンＰＰを利用することなく独自に作成してもよいが、点灯幅初期値パターンＰＰを利用しこれを補正することにより作成すれば、効率的に作成することができる。
【００４０】
すなわち、点灯幅初期値パターンＰＰを利用する場合であって、ステップＳＡ２において、例えば忠実再生モードが設定された場合には、単に点灯幅初期値パターンＰＰにおいて、Ｒ、Ｇ、Ｂ各色ＬＥＤの時分割点灯時における他のＬＥＤの点灯パルスを減衰或いは消去すれば、Ｒ、Ｇ、Ｂ各色ＬＥＤが時分割点灯のみして、画像本来の色の忠実な再生が可能となる。
【００４１】
また、例えば緑色を強調したり、投影画像を全体的に緑味がかった色にする緑色強調モードが設定された場合には、緑色ＬＥＤの時分割点灯時における赤色ＬＥＤ及び青色ＬＥＤのパルス幅を狭く（又はパルスなし「０」）し、赤色ＬＥＤの時分割点灯時における緑色ＬＥＤのパルス幅を広くするとともに青色ＬＥＤのパルス幅を狭く（又はパルスなし「０」）し、青色ＬＥＤの時分割点灯時における緑色ＬＥＤのパルス幅を広くするとともに赤色ＬＥＤのパルス幅を狭く（又はパルスなし「０」）すればよい。
【００４２】
そして、このようにステップＳＡ２において選択した表示モードに基づいて作成したパルス点灯幅パターンを前記ＲＡＭ１１２の所定領域に上書きしてセットする（ステップＳＡ４）。
【００４３】
しかる後に、セットしたパルス点灯幅パターンで光源装置２０を駆動しつつ、画像投影を実行する（ステップＳＡ５）。すなわち、ＲＡＭ１１２の所定領域に、図２に示した点灯幅初期値パターンＰＰがセットされているとすると、１フレーム内においてＲ、Ｇ、Ｂ各色ＬＥＤ２０Ｒ、２０Ｇ、２０Ｂを時分割点灯させるとともに、
（１）赤色ＬＥＤ２０Ｒの時分割点灯時には、緑色ＬＥＤ２０Ｇと青色ＬＥＤ２０Ｂとを、図示したパルス幅でかつ０〜２５５階調に対応するタイミングで点灯駆動し、
（２）緑色ＬＥＤ２０Ｇの時分割点灯時には、赤色ＬＥＤ２０Ｒと青色ＬＥＤ２０Ｂとを、図示したパルス幅でかつ０〜２５５階調に対応するタイミングで点灯駆動し、
（３）青色ＬＥＤ２０Ｂの時分割点灯時には、赤色ＬＥＤ２０Ｒと緑色ＬＥＤ２０Ｇとを、図示したパルス幅でかつ０〜２５５階調に対応するタイミングで点灯駆動する。
【００４４】
このとき、
［１］赤色ＬＥＤ２０Ｒの時分割点灯時において、補助点灯される緑色ＬＥＤ２０Ｇと青色ＬＥＤ２０Ｂとはパルス駆動されることから、ＬＥＤの電流値を変えずに、ＬＥＤのＯＮとＯＦＦのみで制御することができ、パルス点灯する各ＬＥＤの発光色が変化することはなく、緑色ＬＥＤ２０Ｇからの光は本来の緑色、青色ＬＥＤ２０Ｂからの光は本来の青色となる。
［２］緑色ＬＥＤ２０Ｇの時分割点灯時において、補助点灯される赤色ＬＥＤ２０Ｒと青色ＬＥＤ２０Ｂとはパルス駆動されることから、ＬＥＤの電流値を変えずに、ＬＥＤのＯＮとＯＦＦのみで制御することができ、パルス点灯する各ＬＥＤの発光色が変化することはなく、赤色ＬＥＤ２０Ｒからの光は本来の赤色、青色ＬＥＤ２０Ｂからの光は本来の青色となる。
［３］青色ＬＥＤ２０Ｂの時分割点灯時において、補助点灯される赤色ＬＥＤ２０Ｒと緑色ＬＥＤ２０Ｇとはパルス駆動されることから、ＬＥＤの電流値を変えずに、ＬＥＤのＯＮとＯＦＦのみで制御することができ、パルス点灯する各ＬＥＤの発光色が変化することはなく、赤色ＬＥＤ２０Ｒからの光は本来の赤色、緑色ＬＥＤ２０Ｇからの光は本来の緑色となる。
【００４５】
このように、補助点灯されるＬＥＤは、発光色が本来の色と異なることはなく、パルス幅に応じて当該色の発光量が増加するにすぎない。したがって、補助点灯するＬＥＤに印加されるパルス幅に応じて投影画像に輝度を確保することが可能となるのみならず、前述したステップＳＡ２及びＳＡ３の処理でパルス幅を変更することにより、投影画像の色度を自在に調整することも可能となる。
【００４６】
加えて、本実施の形態においては、ユーザが任意に設定した所望の表示モードに応じて、投影画像に輝度を確保することが可能となるのみならず、投影画像の色度を自在に調整することも可能となる。
【００４７】
（第２の実施の形態）
本発明の第２の実施の形態においては、図５に示すように前記ＲＯＭ１１１にはさらに波形データテーブルＷＴが記憶されている。この波形データテーブルＷＴには、「アナログＲＧＢ」等の前記入出力コネクタ部１６等から入力される画像データの各種規格名に対応して、そのシンク信号波形が記憶されている。
【００４８】
図６は、本第２の実施の形態における処理手順を示すフローチャートである。すなわち、ＲＯＭ１１１から前記点灯幅初期値パターンＰＰを読み出して、ＲＡＭ１１２の所定領域にセットする（ステップＳＢ１）。次に、入出力コネクタ部１６にパソコン等から供給される当該画像データの規格に従ったフレームレートで供給される人力信号、あるいはメモリカード２４から当該規格に従ったフレームレートで読み出した画像データ等の順次入力される入力信号の有無を判断する（ステップＳＢ２）。
【００４９】
このステップＳＢ２での判断の結果、入力信号があったならば、当該入力信号におけるシンク信号の波形と波形データテーブルＷＴに記憶されているシンク信号波形を比較する（ステップＳＢ３）。また、この比較の結果、入力信号の規格が判明したか否かを判断する（ステップＳＢ４）。
【００５０】
そして、入力信号の規格が判明しなかった場合には、ステップＳＢ５及びステップＳＢ６の処理を実行することなく、ステップＳＢ７に進む。したがって、入力信号の規格が判明しなかった場合には、ＲＡＭ１１２には前記点灯幅初期値パターンＰＰがセットされたままの状態となる。
【００５１】
しかし、ステップＳＢ４での判断の結果、入力信号の規格が判明した場合には、この判明した入力信号の規格に応じて、パルス点灯幅パターンを作成する（ステップＳＢ５）。パルス点灯幅パターンの作成は、前述した図４のサブルーチンに従って行っても良いし、点灯幅初期値パターンＰＰを利用しこれを補正することにより作成してもよい。
【００５２】
あるいは、図５の波形データテーブルＷＴに、各種規格名に対応してパルス点灯幅パターンを記憶しておき、これを単に読み出すようにしてもよい。このようにすれば、入力信号の規格に応じたパルス点灯幅パターンを容易な処理により取得することができる。
【００５３】
そして、このように作成したパルス点灯幅パターンを前記ＲＡＭ１１２の所定領域に上書きしてセットする（ステップＳＢ６）。しかる後に、前述した第１の実施の形態と同様に、セットしたパルス点灯幅パターンで光源装置２０を駆動しつつ、画像投影を実行する（ステップＳＢ７）。
【００５４】
すなわち、入力信号はその規格によって予め表示可能な色度の範囲が決められている場合がある。言い換えると、色度図におけるＲ、Ｇ、Ｂの最大値が前記入力信号の規格によって予め決まっている場合があるため、前記光源装置は、赤色ＬＥＤ２０Ｒ、緑色ＬＥＤ２０Ｇ、青色ＬＥＤ２０Ｂ各々の時分割点灯時における発光色が当該色度図におけるＲ、Ｇ、Ｂの最大値となるように前記パルス点灯幅を決定する。したがって、本第２の実施の形態によれば、入力信号の規格に応じて、適切に投影画像に輝度を確保することができるとともに、適切に投影画像の色度を調整することも可能となる。
【００５５】
（第３の実施の形態）
図７は、本発明の第３の実施の形態における処理手順を示すフローチャートである。すなわち、ＲＯＭ１１１から前記点灯幅初期値パターンＰＰを読み出して、ＲＡＭ１１２の所定領域にセットする（ステップＳＣ１）。次に、入出力コネクタ部１６にパソコン等から供給される画像データ、あるいはメモリカード２４から読み出される画像データが入力されたか否かを判断する（ステップＳＣ２）。画像データの入力があったならば、これをＡ／Ｄ変換し（ステップＳＣ３）、このＡ／Ｄ変換した画像データにおけるＲＧＢ各デジタルデータをＲＡＭ１１２に保存する（ステップＳＣ４）。
【００５６】
引き続き、このＲＡＭ１１２に保存したＲＧＢデジタルデータに基づいて、当該画像中におけるＲ、Ｇ、Ｂの最大値を検出する（ステップＳＣ５）。つまり、色度図における色三角形のＲ、Ｇ、Ｂ各頂点の値を検出する。そして、この検出したＲ、Ｇ、Ｂの最大値に基づいてパルス点灯幅パターンを作成する（ステップＳＣ６）。すなわち、前記色度図において、当該画像データのＲ、Ｇ、Ｂの最大値を頂点とする色三角形を求める一方、ＬＥＤ２０Ｒ、２０Ｇ、２０Ｂの表示可能な領域である色三角形の各頂点であるＲＧＢ原色が、前記当該画像データの色三角形の各頂点と合致するようにパルス点灯幅を決定して、パルス点灯幅パターンを作成する
【００５７】
そして、このように作成したパルス点灯幅パターンを前記ＲＡＭ１１２の所定領域に上書きしてセットする（ステップＳＣ７）。しかる後に、前述した第１の実施の形態と同様に、セットしたパルス点灯幅パターンで光源装置２０を駆動しつつ、画像投影を実行する（ステップＳＣ８）。
【００５８】
したがって、本第３の実施の形態によれば、入力される画像データの色特性に応じて、適切に投影画像に輝度を確保することができるとともに、適切に投影画像の色度を調整することも可能となる。
【００５９】
なお、第３の実施の形態にあっては、画像データの入力がある毎に（ステップＳＣ２；ＹＥＳ）、画像中のＲ、Ｇ、Ｂの最大値を検出し（ステップＳＣ５）、これに基づきパルス点灯幅パターンを作成して（ステップＳＣ６）、光源装置２０を駆動する。したがって、Ｒ、Ｇ、Ｂの最大値が大きく異なる画像データが順次入力されると、その都度大幅に異なるパルス点灯幅パターンが作成されて光源装置２０が駆動されることより、画像の輝度や色度が急激に変化してしまう現象が生ずる。よって、Ｒ、Ｇ、Ｂの最大値の変化幅が所定値を超えた場合には、最大値をより低い値に規制するようにしてもよい。これにより、画像の輝度や色度が急激に変化してしまう現象の発生を抑制することができる。
【００６０】
また、特に動画の場合は、フレームごとに異なる画像データが次々入力されるため、Ｒ、Ｇ、Ｂの最大値が異なる画像データが入力される可能性が高いことから、画像の輝度や色度が急激に変化してしまう現象が生じ易い。したがって、例えば複数フレーム分におけるＲ、Ｇ、Ｂの最大値の平均値に基づき、パルス点灯幅パターンを作成する等して、急激に画像の輝度や色度が変化してしまうことのないようにＲ、Ｇ、Ｂの最大値を調整しつつパルス点灯幅パターンを作成することが好ましい。
【００６１】
また、上述の実施の形態においては、1フレームを３個に時分割して、赤色ＬＥＤ２０Ｒ、緑色ＬＥＤ２０Ｇ、青色ＬＥＤ２０Ｂを時分割点灯させるようにたが、図８に示すように、１フレームを４個に時分割するようにしてもよい。この場合、図示のように４番目の時分割タイミングを白（Ｗ）に割り当て、この白色時分割点灯時においては、赤色ＬＥＤ２０Ｒ、緑色ＬＥＤ２０Ｇ、青色ＬＥＤ２０Ｂを全て０〜２５５階調毎にパルス駆動し、あるいは図示のように、白色を発生させる際に最も用いたい色のＬＥＤを全発光させ（本例では「Ｇ」）、他のＬＥＤをパルス駆動するようにすればよい。
【００６２】
このように、白色時分割点灯時において、赤色ＬＥＤ２０Ｒ、緑色ＬＥＤ２０Ｇ、青色ＬＥＤ２０Ｂを全てパルス駆動するパルス点灯幅パターンを用いれば、より適切に投影画像に輝度を確保することが可能となるとともに、色度を微調整することができる。また、白色を発生させる際に最も用いたい色ＬＥＤを全発光させ、他のＬＥＤをパルス駆動するようにすれば、白色を好みの色味にして投影することができる。
【００６３】
また、上述の実施の形態においては、他のＬＥＤは、２５６階調毎にパルス点灯させる構成としたが、これに限らず、もっと高頻度でパルス点灯させてもよいし、逆にもっと低頻度でパルス点灯させてもよい。いずれにしても、パルス点灯期間中に一定間隔で点灯する構成になっていればよい。その際、パルス点灯させるパルス幅を変えることで色度の調整をすることができる。
【００６４】
また、上述の実施の形態においては発光色の異なるＬＥＤを光源として用いるようにしたが、ＬＥＤ以外の他の発光色の異なる複数の光源を用いるようにしてもよい。
【図面の簡単な説明】
【００６５】
【図１】本発明の一実施の形態に係るプロジェクタの回路構成を示すブロック図である。
【図２】パルス点灯幅初期値パターンの一例を示す模式図である。
【図３】本発明の第１の実施の形態における処理手順を示すフローチャートである。
【図４】パルス点灯幅パターン作成処理の手順を示すフローチャートである。
【図５】波形データテーブルを示す模式図である。
【図６】本発明の第２の実施の形態における処理手順を示すフローチャートである。
【図７】本発明の第３の実施の形態における処理手順を示すフローチャートである。
【図８】１フレームを４時分割した場合におけるパルス点灯幅パターンの一例を示す模式図である。
【符号の説明】
【００６６】
１    プロジェクタ
１１    制御部
１２    入出力インターフェイス
１３    画像変換部
１４    表示エンコーダ
１５    表示駆動部
１６    入出力コネクタ部
１９    ＤＭＤ
２０    光源装置
２０Ｒ    赤色ＬＥＤ
２０Ｇ    緑色ＬＥＤ
２０Ｂ    青色ＬＥＤ
２４    メモリカード
２５    キー／インジケータ部
２６    Ｉｒ受信部
３２    光源制御回路
１１１    ＲＯＭ
１１２    ＲＡＭ
ＰＰ    パルス点灯幅初期値パターン
ＷＴ    波形データテーブル
【図１】
0005286884.tif 000002
【図２】
0005286884.tif 000003
【図３】
0005286884.tif 000004
【図４】
0005286884.tif 000005
【図５】
0005286884.tif 000006
【図６】
0005286884.tif 000007
【図７】
0005286884.tif 000008
【図８】
0005286884.tif 000009